(57)【要約】【課題】１０Ｇｂｐｓの伝送速度の伝送制御システム及び伝送制御方法に関し、伝送装置間の制御要求や応答を容易に行わせる。【解決手段】伝送路７−２，８−２により相互に接続した伝送装置１，２間で１０Ｇｂｐｓの伝送速度でデータを伝送する伝送制御システム及び伝送制御方法に於いて、伝送装置１，２は、物理層終端部と、１０ギガビット媒体非依存インタフェースを含むＭＡＣ終端部と、主信号処理部と、監視・制御部とを含み、シグナルオーダセット又はシーケンスオーダセットにより、一方の伝送装置１から他方の伝送装置２に対して折り返しループの形成要求等の要求情報を送出し、この要求情報に対する制御内容等の応答情報を、シグナルオーダセット又はシーケンスオーダセットにより、他方の伝送装置２から一方の伝送装置１に対して応答情報を送出する。【選択図】図１
2008227794.tif 000002
【特許請求の範囲】
【請求項１】
伝送路により相互に接続した伝送装置間で１０Ｇｂｐｓの伝送速度でデータを伝送する伝送制御システムに於いて、
前記伝送装置は、物理層終端部と、１０ギガビット媒体非依存インタフェースを含むＭＡＣ終端部と、主信号処理部と、監視・制御部とを含み、シグナルオーダセット又はシーケンスオーダセットにより一方の伝送装置から他方の伝送装置に対して要求情報を送出し、該要求情報に対してシグナルオーダセット又はシーケンスオーダセットにより前記他方の伝送装置から前記一方の伝送装置に対して応答情報を送出する構成を備えた
ことを特徴とする伝送制御システム。
【請求項２】
伝送路により相互に接続した伝送装置間で１０Ｇｂｐｓの伝送速度でデータ伝送する伝送制御システムに於いて、
前記伝送装置は、前記伝送路と接続し、且つ折り返しループ形成機能を有する物理層終端部と、１０ギガビット媒体非依存インタフェースを含むＭＡＣ終端部と、主信号処理部と、監視・制御部とを含む構成を備え、前記１０ギガビット媒体非依存インタフェースのレーン０〜レーン３の中のレーン０に制御コードシグナル、レーン１に制御情報、レーン２にデータ、レーン３にチェック演算結果データをそれぞれ割り当て、前記レーン０にシグナルオーダセットを示す制御コードシグナルを設定し、前記レーン１に制御要求又は制御応答を含む制御コード種別と、回線試験又は状態情報の制御要求又は制御応答のページ種別とを設定し、前記レーン２に制御要求内容又は制御応答内容を設定し、前記レーン３に前記レーン１及びレーン２についてのチェック演算結果データを設定したシグナルオーダセットを、要求情報又は応答情報として、一方の前記伝送装置と前記伝送路を介して接続した他方の前記伝送装置との間で送受信する構成を備えた
ことを特徴とする伝送制御システム。
【請求項３】
伝送路により相互に接続した伝送装置間で１０Ｇｂｐｓの伝送速度でデータ伝送する伝送制御システムに於いて、
前記伝送装置は、前記伝送路と接続し、且つ折り返しループ形成機能を有する物理層終端部と、１０ギガビット媒体非依存インタフェースを含むＭＡＣ終端部と、主信号処理部と、監視・制御部とを含む構成を備え、前記１０ギガビット媒体非依存インタフェースのレーン０〜レーン３の中のレーン０に制御コードシグナル、レーン１にチェック結果データ、レーン２にデータ、レーン３に制御コード種別とページ種別とを含む制御データをそれぞれ割り当て、前記レーン０にシーケンスオーダセットを示す制御コードシグナルを設定し、前記レーン１に前記レーン２及びレーン３についてのチェック演算結果データを設定し、前記レーン２に制御要求内容又は制御応答内容を設定し、前記レーン３にローカルフォルト及びリモートフォルトを除く制御情報を設定したシーケンスオーダセットを、要求情報又は応答情報として、一方の前記伝送装置と前記伝送路を介して接続した他方の前記伝送装置との間で送受信する構成を備えた
ことを特徴とする伝送制御システム。
【請求項４】
伝送路と接続し且つ折り返しループ形成機能を有する物理層終端部と、１０ギガビット媒体非依存インタフェースを含むＭＡＣ終端部と、主信号処理部、監視・制御部とを含む構成を備えた伝送装置を前記伝送路により相互に接続して、１０Ｇｂｐｓの伝送速度でデータ伝送する伝送制御方法に於いて、
シグナルオーダセット又はシーケンスオーダセットにより、一方の伝送装置から他方の伝送装置に対して要求情報を送出し、該要求情報に対してシグナルオーダセット又はシーケンスオーダセットにより前記他方の伝送装置から前記一方の伝送装置に対して応答情報を送出する過程を含む
ことを特徴とする伝送制御方法。
【請求項５】
前記１０ギガビット媒体非依存インタフェースのレーン０〜レーン３の中のレーン０に制御コードシグナル、レーン１に制御情報、レーン２にデータ、レーン３にチェック演算結果データをそれぞれ割り当て、前記レーン０にシグナルオーダセットを示す制御コードシグナルを設定し、前記レーン１に制御要求又は制御応答を含む制御コード種別と、回線試験又は状態情報の制御要求又は制御応答のページ種別とを設定し、前記レーン２に制御要求内容又は制御応答内容を設定し、前記レーン３に前記レーン１及びレーン２についてのチェック演算結果データを設定したシグナルオーダセットにより、一方の前記伝送装置と前記伝送路を介して接続した他方の前記伝送装置との間で、要求情報又は応答情報を送受信する過程を含むことを特徴とする請求項４記載の伝送制御方法。
【請求項６】
前記１０ギガビット媒体非依存インタフェースのレーン０〜レーン３の中のレーン０に制御コードシグナル、レーン１にチェック結果データ、レーン２にデータ、レーン３に制御コード種別とページ種別とを含む制御データをそれぞれ割り当て、前記レーン０にシーケンスオーダセットを示す制御コードシグナルを設定し、前記レーン１に前記レーン２及びレーン３についてのチェック演算結果データを設定し、前記レーン２に制御要求内容又は制御応答内容を設定し、前記レーン３にローカルフォルト及びリモートフォルトを除く制御情報を設定したシーケンスオーダセットを、一方の前記伝送装置と前記伝送路を介して接続した他方の前記伝送装置との間で、要求情報又は応答情報を送受信する過程を含むことを特徴とする請求項４記載の伝送制御方法。
【請求項７】
前記１０ギガビット媒体非依存インタフェースのレーン０に設定した制御コードシグナルによりシグナルオーダセット又はシーケンスオーダセットとして、一方の前記伝送装置から他方の前記伝送装置に、折り返しループ形成の要求情報を送出し、該要求情報に従ってループ形成して、前記シグナルオーダセット又はシーケンスオーダセットによる応答情報を他方の前記伝送装置から一方の前記伝送装置に送出する過程を含むことを特徴とする請求項４記載の伝送制御方法。
【請求項８】
前記シグナルオーダセット又はシーケンスオーダセットにより、一方の前記伝送装置から他方の前記伝送装置に、折り返しループ解除の要求情報を送出し、該要求情報に従ってループ解除を行い、前記シグナルオーダセット又はシーケンスオーダセットによる応答情報を他方の前記伝送装置から一方の前記伝送装置に送出する過程を含むことを特徴とする請求項４記載の伝送制御方法。
【請求項９】
前記シグナルオーダセット又はシーケンスオーダセットによる折り返しループ形成の要求情報に、ループ形成後に自動復帰するまでの時間情報を含めることを特徴とする前記請求項７記載の伝送制御方法。
【請求項１０】
前記１０ギガビット媒体非依存インタフェースのレーン０に設定した制御コードシグナルによりシグナルオーダセット又はシーケンスオーダセットとして、一方の前記伝送装置から他方の前記伝送装置に、伝送区間のコードエラーカウント数の要求情報を送出し、該要求情報に従って、前記シグナルオーダセット又はシーケンスオーダセットによる応答情報にコードエラーカウント数を付加して他方の前記伝送装置から一方の前記伝送装置に送出する過程を含むことを特徴とする請求項４記載の伝送制御方法。
【請求項１１】
前記シグナルオーダセット又はシーケンスオーダセットにより、一方の前記伝送装置から他方の前記伝送装置のコードエラーカウンタのクリアを指示する要求情報を送出し、該要求情報に従ってコードエラーカウンタをクリアして、前記シグナルオーダセット又はシーケンスオーダセットにより他方の前記伝送装置から一方の前記伝送装置に応答情報を送出する過程を含むことを特徴とする請求項４記載の伝送制御方法。
【請求項１２】
前記１０ギガビット媒体非依存インタフェースのレーン０に設定した制御コードシグナルによりシグナルオーダセット又はシーケンスオーダセットとして、一方の前記伝送装置から他方の前記伝送装置に、装置状態情報を要求する要求情報を送出し、他方の前記伝送装置から一方の前記伝送装置に、装置内の状態監視情報を、前記シグナルオーダセット又はシーケンスオーダセットにより応答情報として送出する過程を含むことを特徴とする請求項４記載の伝送制御方法。
【請求項１３】
前記１０ギガビット媒体非依存インタフェースのレーン０に設定した制御コードシグナルによりシグナルオーダセット又はシーケンスオーダセットとして、一方の前記伝送装置から他方の前記伝送装置に、回線状態情報を要求する要求情報を送出し、他方の前記伝送装置から一方の前記伝送装置に、回線警報を含む回線状態情報を、前記シグナルオーダセット又はシーケンスオーダセットにより応答情報として送出する過程を含むことを特徴とする請求項４記載の伝送制御方法。
【発明の詳細な説明】
【技術分野】
【０００１】
本発明は、１０Ｇｂｐｓの伝送速度でデータ伝送を行う１０Ｇｂｐｓイーサネット（登録商標）に於ける各種の制御情報を、伝送装置間で伝送可能とする伝送制御システム及び伝送制御方法に関する。
【背景技術】
【０００２】
複数の伝送装置を伝送路により接続して、データ伝送を行うシステムに於いて、集中管理システムを設けて、伝送装置や伝送路の管理や保守等を行う場合が一般的である。例えば、図１１に要部を示すように、伝送路１０１，１０２により相互に接続された伝送装置＃１，＃２と、集中管理システム１０３とを監視制御網１０４を介して接続し、集中管理システム１０３からの制御コマンドに従って、試験フレームの挿入、折り返しのループ形成、試験フレームチェック等を行い、正常性のチェックや障害発生個所の切り分けを行うことができる。このような集中管理システムからの監視制御は、例えば、伝送装置＃１，＃２にそれぞれ（１）〜（６）のコマンドを送信する。
【０００３】
先ず、集中監視システム１０３は、（１）伝送装置＃１の送受信停止制御を行い、×印で示すように、伝送装置＃１は、伝送装置＃２と反対方向の終端部から試験フレームが他の伝送装置（図示せず）に送出されないように送受信動作を停止する。又（２）伝送装置＃２のループ制御を行う。これにより、伝送装置＃２は、伝送装置＃１と反対側の終端部に折り返しのループを形成する。次に、（３）伝送装置＃１試験フレーム挿入と、（３）伝送装置＃１試験フレームチェックとを指示する。それにより、伝送装置＃１からの試験フレームが伝送路１０１を介して伝送装置＃２に伝送され、折り返しループと伝送路１０２とを介して伝送装置＃１に伝送され、この折り返された試験フレームのチェックを行い、チェック結果を集中管理システム１０３に監視制御網１０４を介して応答する。集中管理システム１０３は、（５）伝送装置＃２にループ解除、（６）伝送装置＃１に送受信動作開始を指示する。それにより、元の伝送処理を行う状態に復帰することになる。
【０００４】
又ＨＤＬＣ（Ｈｉｇｈ−ｌｅｖｅｌ  Ｄａｔａ  Ｌｉｎｋ  Ｃｏｎｔｒｏｌ）手順による伝送システムに於いて、フレーム送信命令に、折り返し指示ビットを設けて、この折り返し指示ビットにより、フレームを折り返す自局内折り返しの手段が知られている（例えば、特許文献１参照）。又試験信号検出手段によりオール“１”の試験信号を検出している期間は、折り返し試験信号を挿入するループバック試験方法も提案されている（例えば、特許文献２参照）。又ＭＡＣフレームの送信先物理アドレスＤＡ、送信元物理アドレスＳＡ、ＬＬＣフレームの送信先論理アドレスＤＳＡＰ、送信元論理アドレスＳＳＡＰ及びフレーム種別データＣＮＴを利用して、他のフレームを指定し、通信制御部に於いて折り返す制御手段も提案されている（例えば、特許文献３参照）。
【０００５】
又フレーム伝送を行う伝送システムに於いて、一方の伝送装置は、ＭＡＣ（Ｍｅｄｉａ  Ａｃｃｅｓｓ  Ｃｏｎｔｒｏｌ）フレームの特定の領域に特定のコードを割り当てたループ制御要求フレームを、伝送路を介して接続された他方の対向伝送装置に送信し、その対向伝送装置は、折り返しのループを形成して、ループ制御応答フレームを返送し、そのループ制御応答フレームを受信した伝送装置は、対向伝送装置に試験フレームを送信し、返送された試験フレームをチェックして正常か否かを判定し、その後、ループ解除要求フレームを送信することにより、対向伝送装置の折り返しループを元に戻して、ループ解除応答フレームを送信する手段が提案されている（例えば、特許文献４参照）。
【特許文献１】特開昭５４−３９５３３号公報
【特許文献２】特開昭５６−９１５４９号公報
【特許文献３】特開平６−１２１００５号公報
【特許文献４】特開２００５−２０３９１４号公報
【発明の開示】
【発明が解決しようとする課題】
【０００６】
複数の伝送装置を伝送路により接続した伝送システムに於いては、正常性の確認や障害発生時の切り分け等の為に、伝送装置間で折り返し試験を行う手段を設ける場合が一般的であり、このような折り返し試験の制御等を行う場合に、操作手順のミス等により、送信元アドレス（ＳＡ：Ｓｏｕｒｃｅ  Ａｄｄｒｅｓｓ）又は宛先アドレス（ＤＡ：Ｄｅｓｔｉｎａｔｉｏｎ  Ａｄｄｒｅｓｓ）等が、通常のフレームと異なる試験フレームが流出すると、伝送装置やネットワーク端末に於けるＭＡＣ（Ｍｅｄｉａ  Ａｃｃｅｓｓ  Ｃｏｎｔｒｏｌ）アドレスとＩＰ（Ｉｎｔｅｒｎｅｔ  Ｐｒｏｔｏｃｏｌ）アドレスとの対応を格納したＭＡＣ学習テーブル等に異常が発生して、誤ったＭＡＣ学習テーブルが作成される問題があり、このような誤り発生により、一定期間、本来のフレーム透過伝送が不可能となる。又イーサネット（登録商標）網等のネットワーク全体にアドレス解決のためのブロードキャストフレームが送出されることにより、ネットワークに余分なトラフィック負荷を発生する等の異常事態を発生させる問題がある。
【０００７】
又従来の回線試験に於いては、例えば、図１１に示すような大規模構成の集中管理システム１０３を設けて、試験対象のフレーム伝達区間の２つの伝送装置＃１，＃２を対として制御することにより、回線試験時の試験フレームがフレーム伝達区間外に流出するのを防止し、又試験対象の伝送装置間で独自のインチャネル通信を行う等、人為的操作ミス等による試験フレームの流出を防止する為に、システム的及びハードウェア的に高価で且つ特別な（汎用性の無い）手段を付加して回線試験を行わざるを得なかった。従って、システムコストが上昇する問題があった。又試験フレーム流出の防止手段の無い伝送装置は、人為的操作ミス等による試験フレームの流出を防ぐ為、回線試験の機能自体を削除することが要求される場合があった。
【０００８】
又１０Ｇｂｐｓイーサネット（登録商標）に於いても、伝送装置の状態を把握できるようにすることが要望されるものであるが、その為には、複雑なインチャネル通信や大規模なハードウェアの開発が必要となる問題がある。なお、伝送装置間で、リンク障害については、シーケンスオーダセットにより通知することが可能となっている。しかし、前述のような折り返し試験や状態情報等を通知する手段は、前述の特許文献４に於いても開示されていない。
【０００９】
本発明は、前述の問題点を解決するものであり、シグナルオーダセット又はシーケンスオーダセットを利用して各種の制御要求や応答の通知を可能とするものである。
【課題を解決するための手段】
【００１０】
本発明の伝送制御システムは、伝送路により相互に接続した伝送装置間で１０Ｇｂｐｓの伝送速度でデータを伝送する伝送制御システムに於いて、伝送装置は、物理層終端部と、１０ギガビット媒体非依存インタフェースを含むＭＡＣ終端部と、主信号処理部と、監視・制御部とを含み、シグナルオーダセット又はシーケンスオーダセットにより一方の伝送装置から他方の伝送装置に対して要求情報を送出し、該要求情報に対してシグナルオーダセット又はシーケンスオーダセットにより他方の伝送装置から一方の伝送装置に対して応答情報を送出する構成を備えている。
【００１１】
又伝送路により相互に接続した伝送装置間で１０Ｇｂｐｓの伝送速度でデータ伝送する伝送制御システムに於いて、伝送装置は、伝送路と接続し、且つ折り返しループ形成機能を有する物理層終端部と、１０ギガビット媒体非依存インタフェースを含むＭＡＣ終端部と、主信号処理部と、監視・制御部とを含む構成を備え、１０ギガビット媒体非依存インタフェースのレーン０〜レーン３の中のレーン０に制御コードシグナル、レーン１に制御情報、レーン２にデータ、レーン３にチェック演算結果データをそれぞれ割り当て、前記レーン０にシグナルオーダセットを示す制御コードシグナルを設定し、前記レーン１に制御要求又は制御応答を含む制御コード種別と、回線試験又は状態情報の制御要求又は制御応答のページ種別とを設定し、前記レーン２に制御要求内容又は制御応答内容を設定し、前記レーン３に前記レーン１及びレーン２についてのチェック演算結果データを設定したシグナルオーダセットを、要求情報又は応答情報として、一方の伝送装置と伝送路を介して接続した他方の伝送装置との間で送受信する構成を備えている。
【００１２】
又伝送路により相互に接続した伝送装置間で１０Ｇｂｐｓの伝送速度でデータ伝送する伝送制御システムに於いて、伝送装置は、伝送路と接続し、且つ折り返しループ形成機能を有する物理層終端部と、１０ギガビット媒体非依存インタフェースを含むＭＡＣ終端部と、主信号処理部と、監視・制御部とを含む構成を備え、前記１０ギガビット媒体非依存インタフェースのレーン０〜レーン３の中のレーン０に制御コードシグナル、レーン１にチェック結果データ、レーン２にデータ、レーン３に制御コード種別とページ種別とを含む制御データをそれぞれ割り当て、前記レーン０にシーケンスオーダセットを示す制御コードシグナルを設定し、前記レーン１に前記レーン２及びレーン３についてのチェック演算結果データを設定し、前記レーン２に制御要求内容又は制御応答内容を設定し、前記レーン３にローカルフォルト及びリモートフォルトを除く制御情報を設定したシーケンスオーダセットを、要求情報又は応答情報として、一方の伝送装置と伝送路を介して接続した他方の伝送装置との間で送受信する構成を備えている。
【００１３】
本発明の伝送制御方法は、伝送路と接続し且つ折り返しループ形成機能を有する物理層終端部と、１０ギガビット媒体非依存インタフェースを含むＭＡＣ終端部と、主信号処理部、監視・制御部とを含む構成を備えた伝送装置を前記伝送路により相互に接続して、１０Ｇｂｐｓの伝送速度でデータ伝送する伝送制御方法に於いて、シグナルオーダセット又はシーケンスオーダセットにより、一方の伝送装置から他方の伝送装置に対して要求情報を送出し、該要求情報に対してシグナルオーダセット又はシーケンスオーダセットにより前記他方の伝送装置から前記一方の伝送装置に対して応答情報を送出する過程を含むものである。
【００１４】
又１０ギガビット媒体非依存インタフェースのレーン０〜レーン３の中のレーン０に制御コードシグナル、レーン１に制御情報、レーン２にデータ、レーン３にチェック演算結果データをそれぞれ割り当て、前記レーン０にシグナルオーダセットを示す制御コードシグナルを設定し、前記レーン１に制御要求又は制御応答を含む制御コード種別と、回線試験又は状態情報の制御要求又は制御応答のページ種別とを設定し、前記レーン２に制御要求内容又は制御応答内容を設定し、前記レーン３に前記レーン１及びレーン２についてのチェック演算結果データを設定したシグナルオーダセットにより、一方の伝送装置と伝送路を介して接続した他方の伝送装置との間で、要求情報又は応答情報を送受信する過程を含むものである。
【００１５】
又１０ギガビット媒体非依存インタフェースのレーン０〜レーン３の中のレーン０に制御コードシグナル、レーン１にチェック結果データ、レーン２にデータ、レーン３に制御コード種別とページ種別とを含む制御データをそれぞれ割り当て、前記レーン０にシーケンスオーダセットを示す制御コードシグナルを設定し、前記レーン１に前記レーン２及びレーン３についてのチェック演算結果データを設定し、前記レーン２に制御要求内容又は制御応答内容を設定し、前記レーン３にローカルフォルト及びリモートフォルトを除く制御情報を設定したシーケンスオーダセットを、一方の伝送装置と伝送路を介して接続した他方の伝送装置との間で、要求情報又は応答情報を送受信する過程を含むものである。
【００１６】
又１０ギガビット媒体非依存インタフェースのレーン０に設定した制御コードシグナルによりシグナルオーダセット又はシーケンスオーダセットとして、一方の伝送装置から他方の伝送装置に、折り返しループ形成の要求情報を送出し、この要求情報に従ってループ形成して、シグナルオーダセット又はシーケンスオーダセットによる応答情報を他方の伝送装置から一方の伝送装置に送出する過程を含むものであり、又一方の前記伝送装置から他方の前記伝送装置に、折り返しループ解除の要求情報を送出し、この要求情報に従ってループ解除を行い、シグナルオーダセット又はシーケンスオーダセットによる応答情報を他方の伝送装置から一方の伝送装置に送出する過程を含むものである。又シグナルオーダセット又はシーケンスオーダセットによる折り返しループ形成の要求情報に、ループ形成後に自動復帰するまでの時間情報を含めることができる。
【００１７】
又１０ギガビット媒体非依存インタフェースのレーン０に設定した制御コードシグナルによりシグナルオーダセット又はシーケンスオーダセットとして、一方の伝送装置から他方の伝送装置に、伝送区間のコードエラーカウント数の要求情報を送出し、この要求情報に従って、シグナルオーダセット又はシーケンスオーダセットによる応答情報にコードエラーカウント数を付加して他方の伝送装置から一方の伝送装置に送出する過程を含むものであり、又シグナルオーダセット又はシーケンスオーダセットにより、一方の伝送装置から他方の伝送装置のコードエラーカウンタのクリアを指示する要求情報を送出し、この要求情報に従ってコードエラーカウンタをクリアして、シグナルオーダセット又はシーケンスオーダセットにより他方の伝送装置から一方の伝送装置に応答情報を送出する過程を含むことができる。
【００１８】
又１０ギガビット媒体非依存インタフェースのレーン０に設定した制御コードシグナルによりシグナルオーダセット又はシーケンスオーダセットとして、一方の伝送装置から他方の伝送装置に、装置状態情報を要求する要求情報を送出し、他方の伝送装置から一方の伝送装置に、装置内の状態監視情報を、シグナルオーダセット又はシーケンスオーダセットにより応答情報として送出する過程を含むことができる。又１０ギガビット媒体非依存インタフェースのレーン０に設定した制御コードシグナルにより、シグナルオーダセット又はシーケンスオーダセットとして、一方の伝送装置から他方の伝送装置に、回線状態情報を要求する要求情報を送出し、他方の伝送装置から一方の伝送装置に、回線警報を含む回線状態情報を、シグナルオーダセット又はシーケンスオーダセットにより応答情報として送出する過程を含むことができる。
【発明の効果】
【００１９】
シグナルオーダセット又はシーケンスオーダセットを用いて、伝送装置間で、要求情報又は応答情報を送受信するものであり、折り返しループの形成の要求情報を受信した場合、物理層終端部に折り返しのループを形成して応答情報を返送することにより、折り返し試験を行うことができ、又受信データのエラーをカウントしたコードエラーカウント数、コードエラーカウンタのクリア、装置状態監視情報、回線状態情報等についても、シグナルオーダセット又はシーケンスオーダセットにより一方から他方へ要求情報を送出することによって、他方の伝送装置から制御要求結果や要求された情報を、応答情報として収集することが容易にできる利点がある。
【発明を実施するための最良の形態】
【００２０】
本発明の伝送制御システムは、図１を参照すると、伝送路７−２，８−２により相互に接続した伝送装置１，２間で１０Ｇｂｐｓの伝送速度でデータを伝送する伝送制御システムに於いて、伝送装置１，２は、物理層終端部と、１０ギガビット媒体非依存インタフェースを含むＭＡＣ終端部と、主信号処理部と、監視・制御部とを含み、シグナルオーダセット又はシーケンスオーダセットにより一方の伝送装置１から他方の伝送装置２に対して折り返しループの形成等の要求情報を送出し、この要求情報に対してシグナルオーダセット又はシーケンスオーダセットにより他方の伝送装置２から一方の伝送装置１に対して応答情報を送出する構成を備えている。
【００２１】
本発明の伝送制御方法は、伝送路と接続し且つ折り返しループ形成機能を有する物理層終端部と、１０ギガビット媒体非依存インタフェースを含むＭＡＣ終端部と、主信号処理部、監視・制御部とを含む構成を備えた伝送装置１，２を伝送路７−２，８−２により相互に接続して、１０Ｇｂｐｓの伝送速度でデータ伝送する伝送制御方法に於いて、シグナルオーダセット又はシーケンスオーダセットにより、一方の伝送装置１から他方の伝送装置２に対して折り返しループ形成等の要求情報を送出し、この要求情報に対してシグナルオーダセット又はシーケンスオーダセットにより、他方の伝送装置２から一方の伝送装置１に対し、要求情報に従った応答情報を送出する過程を含むものである。
【実施例１】
【００２２】
図１は、本発明の実施例１の説明図であり、１，２は伝送装置、３，４はネットワーク端末、５，６はネットワーク、７−１，７−２，７−３及び８−１，８−２，８−３は伝送路を示し、その中の伝送路７−２，８−２により相互に接続した一方の伝送装置１と他方の伝送装置２とを下側に拡大して示している。例えば、伝送装置１から伝送装置２に対して各種の要求情報を送出し、伝送装置２は、要求情報に対応した応答情報を送出する場合について示し、伝送装置１は、折り返しループを形成される為のＬＯＯＰ制御要求、それを解除する為のＬＯＯＰ解除要求や、コードエラーカウント数要求、回線警報情報要求、装置警報情報要求等の要求情報を、シグナルオーダセット又はシーケンスオーダセットにより、伝送路７−２を介して伝送装置２に送出し、それに対して、伝送装置２は、ＬＯＯＰ制御応答、ＬＯＯＰ解除応答、コードエラーカウント数応答、回線警報情報応答、装置警報応答等の応答情報を、シグナルオーダセット又はシーケンスオーダセットにより、伝送路８−２を介して伝送装置１に送出する。
【００２３】
図２は、伝送装置の要部説明図であり、１１は監視・制御部、１２，１６は物理層終端部、１３，１５はＭＡＣ終端部、１４は主信号処理部、１７，１８はＸＧＭＩＩ（１０Ｇｉｇａｂｉｔ  Ｍｅｄｉａ  Ｉｎｄｅｐｅｎｄｅｎｔ  Ｉｎｔｅｒｆａｃｅ；１０ギガビット媒体非依存インタフェース）部を示す。監視・制御部１１により、物理層終端部１２，１６と、ＭＡＣ終端部１３，１５と、主信号処理部との状態を監視し、且つデータ伝送処理の為の制御を行うものである。又伝送装置間の要求情報や応答情報は、前述のように、シグナルオーダセット又はシーケンスオーダセットを利用して伝送する。
【００２４】
その為に、シグナルオーダセット又はシーケンスオーダセットのデータに、後述のように、制御要求内容や応答内容を割り当てる。それにより、伝送装置が、例えば、シグナルオーダセットによるＬＯＯＰ制御要求を受信した場合は、伝送路を介して受信した側の物理層終端部と反対側の物理層終端部に於いて折り返しループを形成して、シグナルオーダセットによりＬＯＯＰ制御応答を返送する。又ＬＯＯＰ制御要求を送出する伝送装置は、送出する物理層終端部と反対側の物理層終端部を送受信停止動作とし、シグナルオーダセットによるＬＯＯＰ制御応答を受信すると、試験フレームを送出する。そして、折り返しループにより折り返された試験フレームを受信チェックし、シグナルオーダセットによりＬＯＯＰ解除要求を送出し、これに対するＬＯＯＰ解除応答をシグナルオーダセットにより受信すると、折り返しループ試験を終了とする。
【００２５】
図３は、シグナルオーダセットの説明図であり、前述のＸＧＭＩＩ部１７，１８は、レーン０〜レーン３の４レーン構成により、４並列処理する構成を有するものであり、各レーン０〜３は、８ビット＋１ビットの９ビット構成である。又レーン０を／ｐ／とすることにより、シグナルオーダセットを示すものとなる。このシグナルオーダセットのレーン０〜レーン３対応に、Ｐ，Ｄ１〜Ｄ３とすると、Ｐ＝制御コード５Ｃ（１６進表示）、Ｄ１＝データ１（制御データ）、Ｄ２＝データ２（データ）、Ｄ３＝データ３（ＣＲＣ８）を割り当てる。なお、レーン０を／ｑ／として、シーケンスオーダセットとすることができるものであり、このシーケンスオーダセットにより、リンク障害検出時のローカルフォルトＬＦ（Ｌｏｃａｌ  Ｆａｕｌｔ）を送出し、このローカルフォルトＬＦを受信した伝送装置は、リモートフォルトＲＦ（Ｒｅｍｏｔｅ  Ｆａｕｌｔ）を返送するリンク障害通知機能が定義されている。しかし、シグナルオーダセットについては定義されておらず、又シーケンスオーダセットについても、リンク障害通知以外の種々の制御情報等については全く定義されていない。本発明は、シグナルオーダセット又はシーケンスオーダセットにより各種の制御情報等を伝送可能とするものである。
【００２６】
図４は、シグナルオーダセットのビット割り当て説明図であり、レーン０〜３対応に、それぞれＰ，Ｄ１〜Ｄ３として、Ｐ＝５Ｃ＝制御コードシグナル“０１０１１１００”、Ｄ１＝データ（制御データ）＝制御情報を格納＝制御コード（２ＢＩＴ）＋ページ種別（６ＢＩＴ）、Ｄ２＝データ１（データ）＝データを格納＝Ｄ２．７〜Ｄ２．０、Ｄ３＝データ３（ＣＲＣ８）＝Ｄ１，Ｄ２領域のＣＲＣ８演算結果を格納＝ＣＲＣ８（８ＢＩＴ）とした場合を示す。なお、ＢＩＴはビットを示す。
【００２７】
図５は、シグナルオーダセットのＤ１領域の説明図であり、（Ａ）は、図４に於けるＤ１＝データ１（制御データ）の領域を６ビットのページ種別と、２ビットの制御コード種別とした場合を示し、（Ｂ）は、ページ種別の６ビット０ｘ００〜３Ｆの中の０ｘ０３＝回線試験ページ、０ｘ０４〜０ｘ０７＝エラーカウンタページ、０ｘ０８＝エラーカウンタクリアページ、０ｘ０９＝装置状態ページ、０ｘ０Ａ＝回線状態ページとした場合を示し、（Ｃ）は、２ビットの制御コード種別の０ｂ００＝制御要求、０ｂ０１＝制御応答、０ｂ１０＝状態通知要求、０ｂ１１＝状態通知応答とする場合を示し、それぞれの割り当て設定の一例を示す。
【００２８】
図６は、シグナルオーダセットのＤ２領域の説明図であり、（Ａ）は、図４に於けるＤ２＝データ２（データ）の領域を８ビットのデータ格納領域とした場合を示し、（Ｂ）は、８ビットのデータＤ２．７〜Ｄ２．０の中の４ビットＤ２．７〜Ｄ２．４を、ＬＯＯＰタイマとし、０ｘ００〜０ｘ０６により、１００ｍｓ，５００ｍｓ，１ｓ，２ｓ，３ｓ，５ｓ，１０ｓを割り当て、０ｘ０Ｆ＝タイマなしとし、Ｄ２．０＝ＬＯＯＰ  ＥＮＡＢＬＥとして、折り返しループ可を割り当てた場合を示す。又（Ｃ）は、８ビットのデータＤ２．７〜Ｄ２．０をエラーカウント数とし、０〜２５５のエラーカウント数を格納する場合を示す。
【００２９】
図７は、シグナルオーダセットのＤ２領域の説明図であり、（Ａ）は、コードエラーカウンタをリセットする為の要求情報の場合を示し、Ｄ２＝データ２（データ）の領域の８ビットＤ２．７〜Ｄ２．０の中のＤ２．０をカウンタリセットの制御要求とした場合を示す。又（Ｂ）は、図６の（Ａ）と同一内容の８ビット構成のＤ２領域を示し、（Ｃ）は、その中のＤ２．１＝装置電源断、Ｄ２．０＝ＥＱＰに割り当てた場合を示し、装置状態情報要求時に、応答情報として利用することができる。又（Ｄ）は、装置状態ページ（図５の（Ｂ）のページ種別の０ｘ０９により装置状態ページを示す場合）について、８ビット構成のデータＤ２の中のＤ２．４＝ＲＦ（Ｒｅｍｏｔｅ  Ｆａｕｌｔ）、Ｄ２．３＝ＬＦ（Ｌｏｃａｌ  Ｆａｕｌｔ）、Ｄ２．２＝ＢＥＲ（Ｂｉｔ  Ｅｒｒｏｒ  Ｒａｔｅ）、Ｄ２．１＝ＬＯＦ（Ｌｏｓｓ  Ｏｆ  Ｆｌａｍｅ）、Ｄ２．０＝ＬＯＳ（Ｌｏｓｓ  Ｏｆ  Ｓｉｇｎａｌ）にそれぞれ割り当てた場合を示す。
【００３０】
前述のシグナルオーダセットにより各種の要求情報及び応答情報を伝送装置間で送受信することができる。例えば、図１に示すように、伝送装置１から伝送装置２に対して、シグナルオーダセットの制御データＤ１のページ種別により回線試験ページ０ｘ０３を設定し、制御コード種別により制御要求０ｂ００を設定し、データＤ２のＤ２．７〜Ｄ２．４の選択設定によりループ形成後の自動復帰時間を設定し、Ｄ２．０によりループ形成指示を設定したＬＯＯＰ制御要求を送出すると、伝送装置２は、このＬＯＯＰ制御要求を受信して、折り返しループを形成し、伝送装置１に対して、シグナルオーダセットの制御データＤ１のページ種別により回線試験ページ０ｘ０３を設定し、制御コード種別により制御応答０ｂ０１を設定し、データＤ２のＤ２．０によりループ形成を設定し、ＬＯＯＰ制御応答として送出する。伝送装置１は、この応答情報を受信して、折り返しループ形成を確認して、試験フレームを送出することにより、折り返し試験を行うことができる。
【００３１】
又折り返し試験後は、タイマ設定により自動的に折り返しループを復帰させることができるが、制御要求時に、例えば、ＬＯＯＰタイマの０ｘ０Ｆによりタイマなしとした場合は、伝送装置１から伝送装置２に対して、シグナルオーダセットにより、ループ解除要求を送出し、伝送装置２は、先に形成した折り返しループを解除して、シグナルオーダセットにより、伝送装置１に対して、ＬＯＯＰ解除応答を送出する。伝送装置１は、このＬＯＯＰ解除応答の応答情報を受信して、正常なデータ伝送状態に復帰したことを確認することができる。
【００３２】
又伝送装置１から伝送装置２に対して、伝送装置２のエラーカウンタの内容を要求する場合、シグナルオーダセットの制御データＤ２のページ種別のエラーカウンタページを割り当て、制御コード種別の０ｂ１０により状態通知要求を割り当てて送出する。伝送装置２は、伝送装置１との間の伝送データのエラーカウンタのカウント数を、シグナルオーダセットの制御コード種別の０ｂ１１により状態通知応答とし、ページ種別によりエラーカウンタページを割り当て、データＤ２のＤ２．７〜Ｄ２．０によりエラーカウント数を格納して、コードエラーカウント数応答として、伝送装置１に送出する。同様にして、伝送装置１から、シグナルオーダセットにより、伝送装置２に回線警報情報要求又は装置警報情報要求を送出することにより、伝送装置２は、シグナルオーダセットにより、回線警報情報応答又は装置警報情報応答を送出する。伝送装置１は、これらの応答情報を受信して、伝送装置２との間の伝送路と共に伝送装置２の状態が正常であるか否かを確認することができる。
【実施例２】
【００３３】
図８は、本発明の実施例２のシーケンスオーダセットの説明図であり、レーン０〜３の４レーン構成を有し、各レーンは、８ビット＋１ビットの９ビット構成であり、４レーン並列で処理される。レーン０が／ｑ／の場合、シーケンスオーダセットを示すものとなる。このシーケンスオーダセットのレーン０〜３対応に、Ｑ，Ｄ１〜Ｄ３とすると、Ｑ＝制御コード９Ｃ（１６進表示）、Ｄ１＝データ３（ＣＲＣ８）、Ｄ２＝データ２（データ）、Ｄ３＝データ１（制御データ）とする。このシーケンスオーダセットは、前述のシグナルオーダセットと比較して、制御コードと、レーン１，３の関係が相違している。
【００３４】
図９は、シーケンスオーダセットのビット割り当ての説明図であり、Ｑ＝９Ｃ＝制御コードシーケンス＝“１００１１１００”、Ｄ１＝データ１（ＣＲＣ８）＝Ｄ２，Ｄ３領域のＣＲＣ８演算結果を格納＝ＣＲＣ８（８ＢＩＴ）、Ｄ２＝データ２（データ）＝データを格納＝Ｄ２．７〜Ｄ２．０、Ｄ３＝データ３（制御データ）＝制御情報を格納＝制御コード（２ＢＩＴ）＋ページ種別（６ＢＩＴ）とした場合を示し、シーケンスオーダセットは、繰り返し送信可能のものである。
【００３５】
図１０は、シーケンスオーダセットの種別割り当ての説明図であり、（Ａ）はＤ３＝データ１（制御データ）を、６ビットのページ種別と２ビットの制御コード種別とし、ページ種別は、（Ｂ）に示すように、６ビット０ｘ００〜３Ｆの中の０ｘ０１は、リンク障害検出時のローカルフォルトＬＦ（Ｌｏｃａｌ  Ｆａｕｌｔ）を送出する為に使用され、又０ｘ０２は、このローカルフォルトＬＦに対して送出するリモートフォルトＲＦ（Ｒｅｍｏｔｅ  Ｆａｕｌｔ）に割り当てられている。そこで、０ｘ０３＝回線試験ページ、０ｘ０４〜０ｘ０７＝エラーカウンタページ、０ｘ０８＝エラーカウンタクリアページ、０ｘ０９＝装置状態ページ、０ｘ０Ａ＝回線状態ページとして割り当てる。又（Ｃ）は２ビットの制御コード種別を示し、０ｂ００＝制御要求（対向装置に対する制御時に使用）、０ｂ０１＝制御応答（制御要求に対する応答時に使用）、０ｂ１０＝状態通知要求（対向装置の状態、情報を要求する時に使用）、０ｂ１１＝状態通知応答（状態、情報要求に対する応答時に使用）とした場合を示す。
【００３６】
前述の伝送装置間のシグナルオーダセット又はシーケンスオーダセットによる要求情報及び応答情報の内容及びそれぞれのレーン０〜３に対する設定及び割り当ての内容は、伝送システム構成に対応して選択可能である。
【図面の簡単な説明】
【００３７】
【図１】本発明の実施例１の説明図である。
【図２】本発明の実施例１の伝送装置の要部説明図である。
【図３】本発明の実施例１のシグナルオーダセットの説明図である。
【図４】本発明の実施例１のビット割り当て説明図である。
【図５】本発明の実施例１のシグナルオーダセットのＤ１領域の説明図である。
【図６】本発明の実施例１のシグナルオーダセットのＤ２領域の説明図である。
【図７】本発明の実施例１のシグナルオーダセットのＤ２領域の説明図である。
【図８】本発明の実施例２のシーケンスオーダセットの説明図である。
【図９】本発明の実施例２のビット割り当ての説明図である。
【図１０】本発明の実施例２の種別割り当ての説明図である。
【図１１】従来例の説明図である。
【符号の説明】
【００３８】
１，２  伝送装置
３，４  ＮＷ端末
５，６  ネットワーク
７−１〜７−３，８＝１〜８−３  伝送路
１１  監視・制御部
１２，１６  物理層終端部
１３，１５  ＭＡＣ終端部
１４  主信号処理部
１７，１８  ＸＧＭＩＩ部
【図１】
2008227794.tif 000003
【図２】
2008227794.tif 000004
【図３】
2008227794.tif 000005
【図４】
2008227794.tif 000006
【図５】
2008227794.tif 000007
【図６】
2008227794.tif 000008
【図７】
2008227794.tif 000009
【図８】
2008227794.tif 000010
【図９】
2008227794.tif 000011
【図１０】
2008227794.tif 000012
【図１１】
2008227794.tif 000013